(57)【特許請求の範囲】
【請求項１】
一対の基板と、一方の前記基板と接続されるフレキシブル配線基板とを備えた電気光学装置であって、
前記フレキシブル配線基板は、
基材と、前記基材の本体部の端部に設けられた第１の端子群と、前記第１の端子群の配列方向における両端に配置された位置合わせマークと、前記本体部から分岐された延在部の端部に設けられた第２の端子群と、前記基材に貼り付けられ前記基材よりも剛性の高いフィルムとを備え、
一方の前記基板は、
他方の前記基板の第１の辺及び該第１の辺と交差する第２の辺からそれぞれ張り出した張り出し部分と、
前記張り出し部分上に、前記第１の辺に沿って配置される第１のＩＣチップと、前記第２の辺に沿って配置される第２のＩＣチップと、前記第１の辺に沿って配列され、前記第１のＩＣチップと前記第１の端子群とを接続する第１の配線と、前記第２の辺に沿って延在され、前記第２のＩＣチップと前記第２の端子群とを接続する第２の配線とを備え、
前記フレキシブル配線基板の基材は、前記張り出し部分上で、前記延在部が前記本体部から分岐されており、
前記フレキシブル配線基板の第１及び第２の端子群並びに位置合わせマークは、前記基材の第１の面に設けられており、
前記フレキシブル配線基板のフィルムは、前記基材の延在部において、前記基材の両面に貼り付けられており、前記基材の本体部の前記第１の端子群及び前記位置合わせマークと重なる領域において、前記基材の第２の面にのみ貼り付けられていることを特徴とする電気光学装置。
【請求項２】
請求項１に記載の電気光学装置であって、
一方の前記基板上に、前記第１のＩＣチップから信号が供給される第１の電極と、
他方の前記基板上に、前記第２のＩＣチップから信号が供給される第２の電極とを有することを特徴とする電気光学装置。
【請求項３】
請求項１または２に記載の電気光学装置であって、
前記基材の本体部の両面に、カバーレイフィルムが貼り付けられ、
前記フィルムは、カバーレイフィルムと同一の材料を含むことを特徴とする電気光学装置。
【請求項４】
請求項１乃至３のいずれかに記載の電気光学装置であって、
前記フィルムは、前記第１の端子群が設けられた領域からはみ出したはみ出し部を有することを特徴とする電気光学装置。
【請求項５】
請求項３に記載の電気光学装置であって、
前記フィルムと前記カバーレイフィルムとの間に、当該カバーレイフィルムを設けない領域が設けられていることを特徴とする電気光学装置。
【請求項６】
請求項５に記載の電気光学装置であって、
前記カバーレイフィルムを設けない領域において、前記フレキシブル配線基板が折り曲げられていることを特徴とする電気光学装置。
【請求項７】
請求項１乃至６のいずれかに記載の電気光学装置を表示部として有することを特徴とする電子機器。
【発明の詳細な説明】
【０００１】
【発明の属する技術分野】
本発明は、例えばパーソナルコンピュータ、携帯電話、デジタルカメラなどに用いられる、フレキシブル配線基板、基板接続構造、液晶装置、電気光学装置及び電子機器に関する。
【０００２】
【従来の技術】
従来の液晶装置は、例えば液晶パネルと、この液晶パネルの裏面に配置された導光板と、導光板の側方に位置するようにＬＥＤ（発光素子）が形成されたガラス基板と、液晶パネルの一辺から基板の裏面側に引き回されたフレキシブル配線基板とから、主に構成される。
【０００３】
ガラス基板とフレキシブル配線基板とは、フレキシブル配線基板からガラス基板に形成された駆動信号に電力を供給するために電気的に接続されている。
【０００４】
従来の液晶装置としては、図９に示すような、例えばパッシブマトリクス駆動方式の液晶表示装置がある。
【０００５】
図９はそのような基板構造を概略的に示した平面図である。図１０は図９
に示す液晶装置及び基板本体部分のＹ方向の断面図である。
【０００６】
液晶表示パネル９００は、相対向して配置された一対の、第１のガラス基板９０２及び第２のガラス基板９０３を有している。これらガラス基板の間には、表示領域を周回するように介在されたシール材（図示せず）が配置されている。そして、これらガラス基板とシール材とで形成される間隙には、液晶が封入されている。また、第１のガラス基板９０２の面であって、第２のガラス基板９０３と対向する面（第１のガラス基板の対向面）には、複数のセグメント電極９０６がＹ方向に形成されている。一方、第２のガラス基板９０３の面であって、第１のガラス基板９０２と対抗する面（第２のガラス基板の対向面）には、セグメント電極と直交する方向（Ｘ方向）に沿って複数のコモン電極９０７が形成されている。
【０００７】
液晶表示パネルの所定の二辺の側縁部（図９において左側及び下側縁部）においては、第２のガラス基板９０３が第１のガラス基板９０２の縁部より側方（図９において左側及び下側）に張り出すように設定されている。この二つの突出領域に配線接合領域９０４Ａ、９０５Ａ、とを構成している。そして、配線領域９０４Ａにはセグメント電極用のドライバＩＣチップ９０４がＣＯＧ（Ｃｈｉｐ  ｏｎ  Ｇｌａｓｓ）実装されていて、複数のセグメント電極が延在された出力端子群９０６Ａと、配線接合領域９０４Ａの縁部側に形成された入力端子群９０４Ｂとに接続されている。また、配線領域９０５Ａには、コモン電極用のドライバＩＣチップ９０５がＣＯＧ実装されていて、複数のコモン電極が延在された出力端子群９０７Ａと、配線領域９０５Ａの縁部側に形成された入力端子群９０５Ｂとに接続されている。
【０００８】
そして、配線接合領域９０４Ａの入力端子群９０４Ｂにおいては、フレキシブル配線基板９１５の第１の端子群と電気的に接続するように、異方性導電フィルム（ＡＣＦ：Ａｎｉｓｏｔｒｏｐｉｃ  Ｃｏｎｄｕｃｔｉｖｅ  Ｆｉｌｍ）を介して接合されている。また、同様に、配線接合領域９０５Ａの入力端子群においては、フレキシブル配線基板９１５の分岐部の第１の端子群９０５Ｂと電気的に接続するように、異方性導電フィルムＡＣＦを介して圧着接合されている。
【０００９】
フレキシブル配線基板９１５のガラス基板と対向する面には、接合の目印となる位置決めマーク９０８、９０９が設けられている。接合時には、このマークと、ガラス基板側にも設けられた位置決めマーク（図示せず）を目標にして圧着接合されている。
【００１０】
【発明が解決しようとする課題】
しかしながら、従来のフレキシブル配線基板は、例えば電気絶縁性樹脂上に配線が形成されているので、位置決めマークを目安に圧着しようとしても、フレキシブル配線基板そのものの可撓性が高く、液晶パネルと接続しようとしても端面が安定せず圧着しずらい。また、圧着したとしてもそりを生じたりする等、圧着性及び圧着の信頼性に問題があった。
【００１１】
本発明の目的は、一方がフレキシブル配線基板である基板間の接続を簡単にするとともに、圧着部の圧着性及び信頼性を向上させたフレキシブル配線基板、基板接続構造、液晶装置、電気光学装置及び電子機器を提供することにある。
【００１２】
【課題を解決するための手段】
本発明に係る電気光学装置は、一対の基板と、一方の前記基板と接続されるフレキシブル配線基板とを備えた電気光学装置であって、前記フレキシブル配線基板は、基材と、前記基材の本体部の端部に設けられた第１の端子群と、前記第１の端子群の配列方向における両端に配置された位置合わせマークと、前記本体部から分岐された延在部の端部に設けられた第２の端子群と、前記基材に貼り付けられ前記基材よりも剛性の高いフィルムとを備え、一方の前記基板は、他方の前記基板の第１の辺及び該第１の辺と交差する第２の辺からそれぞれ張り出した張り出し部分と、前記張り出し部分上に、前記第１の辺に沿って配置される第１のＩＣチップと、前記第２の辺に沿って配置される第２のＩＣチップと、前記第１の辺に沿って配列され、前記第１のＩＣチップと前記第１の端子群とを接続する第１の配線と、前記第２の辺に沿って延在され、前記第２のＩＣチップと前記第２の端子群とを接続する第２の配線とを備え、前記フレキシブル配線基板の基材は、前記張り出し部分上で、前記延在部が前記本体部から分岐されており、前記フレキシブル配線基板の第１及び第２の端子群並びに位置合わせマークは、前記基材の第１の面に設けられており、前記フレキシブル配線基板のフィルムは、前記基材の延在部において、前記基材の両面に貼り付けられており、前記基材の本体部の前記第１の端子群及び前記位置合わせマークと重なる領域において、前記基材の第２の面にのみ貼り付けられていることを特徴とする。
また、一方の前記基板上に、前記第１のＩＣチップから信号が供給される第１の電極と、他方の前記基板上に、前記第２のＩＣチップから信号が供給される第２の電極とを有することを特徴とする。
本件の参考発明に係るフレキシブル配線基板は、フレキシブル配線基板において、基材と、前記基材の第１の面に設けられた端子群と、前記基材の第２の面に、前記端子群に対応するように設けられ、前記基材よりも剛性の高いフィルムと、を具備することが好ましい。
【００１３】
このような構成によれば、前記フィルムにより前記フレキシブル配線基板が補強されるので、精度良く且つ容易に位置決めしながら所定領域に圧着接合することができる。ここで、フレキシブル配線基板は柔軟なため、その自由端が移動しやすくハンドリングが難しい。しかし、フレキシブル配線基板よりも剛性の高いフィルムを圧着部に貼り付けるため、圧着部の固定が容易になり、ハンドリング性も向上する。
【００１４】
本件の参考発明のフレキシブル配線基板は、フレキシブル配線基板であって、基材と、前記基材の第１の面に設けられた第１の端子群と、前記基材の第２の面に、前記第１の端子群に重なるように設けられ、前記基材よりも剛性の高いフィルムと、を具備することを特徴とする。この構成によれば、基材と基板の接続領域が補強される。
【００１５】
また、前記基材の前記第１の面に設けられた前記端子群は、前記基材の端部に沿って設けられていることが好ましい。これにより基材端部が補強されることになり、圧着部が補強される。
【００１６】
また、本件の参考発明のフレキシブル配線基板は、前記基材の分岐した延在部の前記第１の面に設けられた第２の端子群と、前記基材の前記第２の面に、前記第２の端子群に重なるように設けられ、前記基材よりも剛性の高いフィルムと、を具備する。
【００１７】
この構成により、基板本体よりも幅が狭く、安定性の悪い分岐した端子群も補強されるので、一層ハンドリング性が向上して圧着容易となる。
【００１８】
また、前記基材の前記第２の面に、カバーレイフィルムが貼り付けられ、前記剛性の高いフィルムは、カバーレイフィルムと同一の材料を含む。これにより新たにフィルムを形成することなく、工程が簡素化される。
【００１９】
また、前記剛性の高いフィルムは、前記端子群が設けられた領域からはみ出したはみ出し部を有する。そのはみ出し部は、前記端子群が設けられた領域から０ｍｍ以上１ｍｍ以下はみだしていることが好ましい。これにより前記基板と前記被処理体との未圧着部分をなくすことができ、圧着性及び圧着の信頼性を向上させることができる。
【００２０】
また、前記第１の端子群に重なるフィルムと前記カバーレイフィルムとの間に、当該カバーレイフィルムを設けない領域が設けられている。これにより基板の可撓性は維持される。
【００２１】
本件の参考発明に係る接続構造は、フレキシブル配線基板の基材に設けられた端子群と、基板に設けられた基板側端子群とを異方性導電接着剤を介して接続した構造において、前記基材の前記端子群が設けられた側とは反対側であって、前記端子群に対応した位置に、前記基材よりも剛性の高いフィルムを設けることが好ましい。
【００２２】
本件の参考発明に係る接続構造は、前記基材の前記端子群が設けられた側とは反対側であって、前記端子群に平面的に重なる領域に、前記基材よりも剛性の高いフィルムが設けられていることが好ましい。この構成により前記基板接続時に、剛性の高いフィルムで補強されるので、接続が容易になる。
【００２３】
また、本件の参考発明に係る接続構造は、端子群が設けられたフレキシブル配線基板の基材と、基板側端子群が設けられた基板とを、前記端子群と前記基板側端子群とが対向するように接着剤を介して接続した構造において、前記基材の前記端子群が設けられた側とは反対側であって、前記端子群に対応した位置に、前記基材よりも剛性の高いフィルムを設けることが好ましい。
【００２４】
これにより前記端子群と前記基板側端子群との接続領域を補強しつつ、接続具合を基材裏面側から視認することができる。
【００２５】
また、前記基材の前記端子群が設けられた側とは反対側であって、前記端子群に平面的に重なる領域に、前記基材よりも剛性の高いフィルムを設けることが好ましい。これにより端子群領域をフラットにできるのでハンドリングが容易になる。
【００２６】
さらに端子群が設けられたフレキシブル配線基板の基材と、基板側端子群が設けられた基板とを、前記端子群と前記基板側端子群とが対向するように接続した基板接続構造物であって、前記基材の前記端子群が設けられた側とは反対側の面上であって、前記基材と前記基板との接続領域と重なる領域に、前記基材よりも剛性の高いフィルムを設けた。これにより接続部が剛性の高いフィルムで補強されるので圧着部の固定が容易になり圧着の信頼性も向上する。
【００２７】
また、本件の参考発明に係る接続構造では、前記接着剤は、異方性導電接着剤または異方性導電膜を含むことが好ましい。これにより基材と基板が電気的に接続される。
【００２８】
本件の参考発明に係る接続構造においては、前記基材は前記端子群の配列方向に、前記端子群と前記基板側端子群とを接続するための第１の位置合わせマークを具備し、前記基板に、前記第１の位置合わせマークに応じた第２の位置合わせマークを具備することが好ましい。前記第１の位置合わせマークは、前記基材と前記基板との接続領域内に位置していることが好ましい。この構成によれば、前記第１の位置合わせマークは基材裏面から視認できるので、前記基材と前記基板との貼付け工程時に、精度良く位置合わせすることができる。
【００２９】
本件の参考発明に係る接続構造においては、前記基材にはカバーレイフィルムが設けられ、前記剛性が高いフィルムは前記カバーレイフィルムと同一の材料を含むことが好ましい。これにより、新たなフィルムを形成することなく、工程を簡素化することができる。
【００３０】
本件の参考発明に係る接続構造においては、前記剛性の高いフィルムは、前記端子群が設けられた領域よりも０ｍｍ以上１ｍｍ以下はみ出したはみ出し部を設けることが好ましい。この構成により、前記基材と前記基板との未圧着部分をなくすことができる。
【００３１】
前記はみ出し部は、前記基板の端縁よりも０ｍｍ以上１ｍｍ以下はみ出していることが好ましい。さらに前記はみ出し部は、前記基材と前記基板との接続領域よりも０ｍｍ以上１ｍｍ以下はみ出していることが好ましい。これにより前記基材と前記基板との圧着領域における未圧着を解消し、圧着の信頼性が向上する。
【００３２】
本件の参考発明に係る接続構造は、前記基材にカバーレイフィルムを設けない折り曲げ部を具備することが好ましい。これにより基材の可撓性が維持される。
【００３３】
本件の参考発明に係る電気光学装置は、基板に設けられた基板側端子群と、フレキシブル配線基板の基材に設けられ、前記基板側端子群と接続される端子群と、前記基材の前記端子群が設けられた側とは反対側の面上であって、前記端子群に重なる位置に設けられた、前記基材よりも剛性の高いフィルムと、を有する。
【００３４】
前記電気光学装置においては、前記電気光学材料物質は、特に限定されず、液晶をはじめとするエレクトロルミネッセンスなどの各種電気光学材料物質を選択しても良い。
【００３５】
本件の参考発明に係る液晶装置は、互いに対向配置されてなる一対の基板を有する液晶装置であって、前記一対の基板のうち一方の基板に設けられ、前記一対の基板のうち他方の基板の端縁から張り出した張り出し部分と、前記張り出し部分に設けられた基板側端子群と、フレキシブル配線基板の基材に設けられ、前記基板側端子群と接続される端子群と、前記基材の前記端子群が設けられた側とは反対側の面上であって、前記端子群に重なる位置に設けられた、前記基材よりも剛性の高いフィルムと、を有する。
【００３６】
本発明の液晶装置によれば、本発明に係るフレキシブル配線基板を含むため、簡易なモジュール工程で組み立てができ、歩留まりが良い。
【００３７】
本発明に係る電子機器は、本発明に記載の電気光学装置を表示部として有する。また、本発明に記載の液晶装置を表示部として有する。これらの電子機器は、上述した本発明に係るフレキシブル配線基板、電気光学装置及び液晶装置の利点を有し、例えば高い歩留まりで製造することができる。
【００３８】
【発明の実施の形態】
以下、本発明の実施の形態を図面に基づき説明する。
【００３９】
図１は本発明の一実施形態に係る電気光学装置をパッシブマトリクス駆動方式の反射型液晶表示装置に適用した例を示している。図１は、本実施形態に係る液晶装置を概略的に示す平面図である。図２は図１に示す液晶装置の要部を拡大して示す平面図である。図３は図１に示す液晶装置１００及び基板本体１５１のＹ方向の断面図である。図４はフレキシブル配線基板１５０を表面側から見た平面図である。図５はフレキシブル配線基板１５０を裏面側から見た平面図である。
【００４０】
本実施形態に係る液晶装置は、図１に示すように、液晶表示パネル（電気光学パネル）１００と、この液晶表示パネル１００を構成する第１の基板２００及び第２の基板３００と接続されたフレキシブル配線基板１５０と、このフレキシブル配線基板１５０上に貼り付けたカバーレイフィルム１５１１、１５１２と、を含む。
【００４１】
まず、液晶表示パネル１００について説明する。
【００４２】
液晶表示パネル１００は、互いに対向して配置された第１の基板２００と、その背面側に位置する第２の基板３００とが、スペーサを兼ねる導電性粒子の混入されたシール材１１０によって一定の間隙を保って張り合わせられるとともに、この間隙に例えばＴＮ（Ｔｗｉｓｔｅｄ  Ｎｅｍａｔｉｃ）型の液晶１６０が封入された構成となっている。なお、シール材１１０は、第１の基板２００の内周縁に沿っていずれか一方の基板に形成されるが、液晶１６０を封入するために、その一部が開口している。このため、液晶の封入後に、その開口部分が封止材１１２によって封止されている。
【００４３】
第１及び第２の基板２００、３００は、例えばガラス基板、プラスチック基板などから構成される。
【００４４】
第１の基板２００にあって、第２の基板３００との対向面には、複数のコモン（走査）電極２１０が、Ｘ（行）方向に延在して形成される。これらのコモン電極２１０は、表示光を反射する導電材料、例えば金属で形成されている。一方、第２の基板３００にあって第１の基板との対向面には、複数のセグメント（信号）電極３１０が、Ｙ（列）方向に延在して形成されている。これらのセグメント電極３１０は、表示光に対して透明性を有する導電材料、例えばＩＴＯ（Ｉｎｄｉｕｍ  Ｔｉｎ  Ｏｘｉｄｅ）で形成されている。従って、本実施形態では、コモン電極２１０とセグメント電極３１０とが互いに交差する領域において、液晶１６０を介して直交し、いわゆるＸ−Ｙマトリクスを構成している。そして、液晶１６０に対して両電極により電圧が印加されるので、この交差領域がサブ画素として機能することになる。
【００４５】
また、第２の基板３００にあって、第１の基板２００から張り出して隣り合う２辺には、コモン電極２１０を駆動するためのドライバ（駆動回路）ＩＣチップ１２２、及びセグメント電極３１０を駆動するためのドライバＩＣチップ１２４が、実装されている。これらドライバＩＣチップの実装方法は特に制限されないが、例えばＣＯＧ（Ｃｈｉｐ  ｏｎ  Ｇｌａｓｓ）技術により実装されている。
【００４６】
セグメント電極用ドライバＩＣチップ１２４は、図２に示すように、セグメント電極３１０に連続する端子群（出力側端子群）３１０Ａと、第１の配線接合領域１２４Ａの長辺側に配置された接合端子群（入力側端子群）３７０Ａとに接続されている。そして、セグメント電極用ドライバＩＣチップ１２４は、セグメント電極３１０の端子群３１０Ａと、接合端子群３７０Ａに対して、例えばフェースダウンによるフリップチップ実装されている。
【００４７】
一方、図２に示すように、第２の配線接合領域１２２Ａには、コモン電極用ドライバＩＣチップ１２２が例えばＣＯＧ実装されている。このコモン電極用ドライバＩＣチップ１２２は、複数のコモン電極２１０の端子群（出力側端子群）２１０Ａと、複数の接合端子群（入力側端子群）３６０Ａとに接続されている。そして、コモン電極用ドライバＩＣチップ１２２は、コモン電極２１０の端子群２１０Ａと、接合端子群３６０Ａに対して、例えばフェースダウンによるフリップチップ実装されている。さらに、接合端子群３６０Ａは、第２の配線接合領域１２２Ａで引き回されて、その入力端子群がフレキシブル配線基板１５０側の端部まで伸びるように配置されている。
【００４８】
さらに、ドライバＩＣチップ１２４が実装される領域の外側には、フレキシブル配線基板材１５０が接合されている。
【００４９】
ここで、第１の基板２００に形成されたコモン電極２１０は、シール材１１０に混入された導電性粒子を介し、第２の基板３００に形成された配線３５０の一端に接続されている。一方、配線３５０の他端は、ドライバＩＣチップ１２２の出力端（２１０Ａ）に接続されている。すなわち、ドライバＩＣチップ１２２は、配線３５０、導電性粒子及びコモン電極２１０という経路でコモン信号を供給する構成となっている。なお、ドライバＩＣチップ１２２の入力端子（３６０Ａ）とフレキシブル配線基板１５０の間は、配線３６０により、第２の接続領域（端子群形成領域）２２２で接続されている。
【００５０】
また、第２の基板３００に形成されたセグメント電極３１０は、そのままドライバＩＣチップ１２４の出力端（３１０Ａ）に接続されている。すなわち、ドライバＩＣチップ１２４は、セグメント信号を直接供給する構成となっている。なお、ドライバＩＣチップの入力端と、フレキシブル配線基板１５０との間は、配線３７０により、第１の接続領域（端子群形成領域）２２４で接続されている。
【００５１】
次に、本実施形態におけるフレキシブル配線基板１５０の構成について説明する。
【００５２】
フレキシブル配線基板１５０は、図２に示すように、例えば電気絶縁性樹脂からなるフレキシブルな基材１５００上に配線１５２０、すなわち、複数のセグメント電極用配線３７０、複数のコモン電極用配線３６０及び必要に応じて形成される他の配線（図示せず）と接続される配線１５２０が形成されている。配線１５２０は配線３７０と、第１の端子群１２４Ｂにより接続されている。配線１５２０は配線３６０と、第２の端子群１２２Ｂにより接続されている。
【００５３】
フレキシブル配線基板１５０は、図４に示すように、幅寸法の長い部分を有するフレキシブル配線基板本体１５０Ａと、この本体１５０Ａの一方の側部からＬ字状に分岐して前方（入力配線部１５０Ｃとは反対側、すなわち第１の端子群が配置される側）へ突出する、幅寸法の短い分岐配線部１５０Ｂと、本体１５０Ａの後部から後方へ突出する入力配線部１５０Ｃとを有する。そして、本体１５０Ａの前方（第２の基板側）の端部はパネル基板と接続する第１の端子群１２４Ｂを構成し、分岐配線部１５２の前方の端部は同じく第２の端子群１２２Ｂを構成している。
【００５４】
各接続領域２２２、２２４では基材側端子群と基板側端子群が異方性導電膜ＡＣＦを介して圧着されている。例えば、図３に示すように、接続領域２２４では基材側端子群１２４Ｂが異方性導電膜ＡＣＦを介して基板側端子群３７０Ｂと圧着されている。
【００５５】
このような構成のフレキシブル配線基板１５０は、基材１５００上に、カバーレイフィルムを貼付け、カバーレイフィルム領域１５１１及びベース領域１５１２を設ける。
【００５６】
図３に示すように、カバーレイフィルム領域１５１１は、基材１５００の両面に厚さ１５μｍ程度の接着層１７０を介して例えばポリイミドからなる厚さが２５μｍ程度のカバーレイフィルムを設けることにより形成される。
【００５７】
また、液晶パネル側基板と圧着する部分にも同様に、図３に示すように、厚さ２５μｍ程度の例えばポリイミドからなるベースを接着層１７１を介して貼り付け、ベース領域１５１２を形成する。ベースの幅は１．２ｍｍであり、基板の端縁よりもフレキシブル配線基板側に０ｍｍ以上１ｍｍ以下はみ出しているはみ出し部１５１２Ａが設けられている。このはみ出し部１５１２Ａを設けることにより、圧着不良部分をなくすことができる。
【００５８】
フレキシブル配線基板の裏面には、図５に示すような、パネル基板との圧着のための位置決めマーク１５１、１５２が設けられているが、ベース領域１５１２ではカバーレイフィルムを表面側のみに貼付けている。そのため、図５に示すように位置決めマーク１５１、１５２はフレキシブル配線基板１５０の裏面から視認できる。
【００５９】
また、折り曲げ部１５１３にはカバーレイフィルムが貼付けられないので、基板本体の可撓性は保持される。
【００６０】
このような構成により、フレキシブル配線基板１５０が補強され、圧着端も固定されるので、圧着時のハンドリングが容易になる。また、位置決めマーク１５１、１５２を視認することができ、位置決めも確実且つ容易に行える。
【００６１】
さらに、圧着後もベース領域により圧着部が補強されるので、圧着部の信頼性及び圧着性が向上する。
【００６２】
なお、上述した実施形態ではコモン電極２１０及びセグメント電極３１０は互いに相対的な関係にあるため、第１の基板２００にセグメント電極を形成するとともに、第２の基板３００にコモン電極を形成しても良い。
【００６３】
また、図１に示す液晶パネルでは、本発明のフレキシブル配線基板をパッシブマトリクス駆動方式の液晶表示パネルに適用した例を示したが、本発明のフレキシブル配線基板は、画素電極のスイッチング素子としてＴＦＤ素子を用いたアクティブマトリクス駆動方式の液晶パネルにも適用できる。
【００６４】
さらに、実施形態や変形例にでは、液晶としてＴＮ型を用いたが、ＢＴＮ（Ｂｉ−ｓｔａｂｌｅ  Ｔｗｉｓｔｅｄ  Ｎｅｍａｔｉｃ）型・強誘電型などのメモリを有する双安定性や、高分子分散型、さらには分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。また、電圧無印加時には液晶分子が両基板に対して垂直方向に配列する、という垂直配向（ホメオトロピック配向）の構成としても良いし、電圧無印加時には液晶分子が両基板に対して水平方向に配列する一方、電圧印加時には液晶分子両基板に対して垂直に配列する、という平行（水平）配向（ホモジニアス配向）の構成としても良い。このように本発明では、液晶や配向方式として、種々のものに適用することが可能である。
【００６５】
次に、上述した液晶装置を具体的な電子機器に用いた例のいくつかについて説明する。
【００６６】
＜その１：モバイル型コンピュータ＞
まず、この実施形態に係る液晶装置を、モバイル型のパーソナルコンピュータに適用した例について説明する。図６は、このパーソナルコンピュータの構成を示す斜視図である。図６において、パーソナルコンピュータ１１００は、キーボード１１０２を備えた本体部１１０４と、液晶表示ユニット１１０６とから構成されている。この液晶表示ユニット１１０６は、先に述べた液晶パネル１００の背面にバックライト（図示省略）を付加することにより構成されている。これにより、外光があれば反射型として、外光が不充分であればバックライトを点灯させることで透過型として、表示が視認できるようになっている。
【００６７】
＜その２：携帯電話＞
次に、液晶装置を、携帯電話の表示部に適用した例について説明する。図７は、この携帯電話の構成を示す斜視図である。図７において、携帯電話１２００は、複数の操作ボタン１２０２のほか、受話口１２０４、送話口１２０６とともに、上述した液晶パネル１００を備えるものである。なお、この液晶パネル１００の背面にも、視認性を高めるためにバックライト（図示省略）が必要に応じて設けられる。
【００６８】
＜その３：ディジタルスチルカメラ＞
さらに、液晶装置をファインダに用いたディジタルスチルカメラについて説明する。図８は、このディジタルスチルカメラの構成を示す斜視図であるが、外部機器との接続についても簡易的に示すものである。
【００６９】
通常のカメラは被写体の光像によってフィルムを感光するのに対し、ディジタルスチルカメラ１３００は、被写体の光像をＣＣＤ（Ｃｈａｒｇｅ  Ｃｏｕｐｌｅｄ  Ｄｅｖｉｃｅ）等の撮像素子により光電変換して撮像信号を生成するものである。ここで、ディジタルスチルカメラ１３００におけるケース１３０２の背面には、上述した液晶パネル１００が設けられ、ＣＣＤによる撮像信号に基づいて、表示を行う構成となっている。このため、ケース１３０２の前面側（図８においては裏面側）には、光学レンズやＣＣＤなどを含んだ受光ユニット１３０４が設けられている。
【００７０】
ここで、撮影者が液晶パネル１００に表示された被写体像を確認して、シャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１４３０が、また、後者のデータ通信用の入出力端子１３１４にはパーソナルコンピュータ１４３０が、それぞれ必要に応じて接続される。さらに、所定の操作によって、回路基板１３０８のメモリに格納された撮像信号が、テレビモニタ１４３０や、パーソナルコンピュータ１４４０に出力される構成となっている。
【００７１】
なお、電子機器としては、図６のパーソナルコンピュータや、図７の携帯電話、図８のディジタルスチルカメラのほかにも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが上げられる。そして、これらの各種電子機器の表示部として、上述した表示装置が適用可能なのは言うまでもない。
【００７２】
以上実施の形態について説明したが、本発明に係るフレキシブル配線基板、液晶装置、電気光学装置及び電子機器は上記した構成に限定されるものではなく、発明の範囲内で各種の変更が可能である。例えば、液晶装置は、反射型に限定されるものではなく、半透過反射型又は透過型の液晶装置でも適用できる。また、電気光学装置としては、この他に、ＥＬ表示装置を適用することができる。このＥＬ表示装置は、電気光学材料として、傾向材料を含むエレクトロルミネッセンス材料を用いるものであり、コモン電極やセグメント電極などの構成は、液晶装置と概ね同様の構成とすることができる。
【図面の簡単な説明】
【図１】本発明の実施形態に係る液晶装置の全体構成を示す斜視図である。
【図２】本実施形態の液晶装置の要部を拡大して示す平面図である。
【図３】図１の液晶装置及び基板本体のＹ方向の断面図である。
【図４】本発明に係るフレキシブル配線基板に貼り付けるカバーレイフィルムを表面から見た平面図である。
【図５】本発明に係るフレキシブル配線基板に貼り付けたカバーレイフィルムを裏面から見た平面図である。
【図６】実施形態に係る液晶パネルを適用した電子機器の一例であるパーソナルコンピュータの構成を示す斜視図である。
【図７】同じく液晶パネルを適用した電子機器の一例である携帯電話の構成を示す斜視図である。
【図８】同じく液晶パネルを適用した電子機器の一例であるディジタルスチルカメラの背面側の構成を示す斜視図である。
【図９】従来の液晶装置の構成を示す概略平面図である。
【図１０】図９に示す従来の液晶装置とフレキシブル基板本体のＹ方向の断面図である。
【符号の説明】
１００…液晶パネル
１１０…シール材
１１２…封止材
１２２、１２４…ドライバＩＣチップ
１２４Ｂ…第１の端子群
１２２Ｂ…第２の端子群
２２４…第１の接続領域
２２２…第２の接続領域
１５０…フレキシブル配線基板
１５１、１５２…位置決めマーク
１７０、１７１…接着層
２００…第１のガラス基板
２１０…コモン電極
３００…第２のガラス基板
３１０…セグメント電極
３６０、３７０…配線
１５００…基材
１５１１…カバーレイフィルム領域
１５１２…ベース領域（カバーレイフィルム領域）
１５１２Ａ…はみ出し部
１５２０…配線
ＡＣＦ…異方性導電膜
【図１】
0004158351.tif 000002
【図２】
0004158351.tif 000003
【図３】
0004158351.tif 000004
【図４】
0004158351.tif 000005
【図５】
0004158351.tif 000006
【図６】
0004158351.tif 000007
【図７】
0004158351.tif 000008
【図８】
0004158351.tif 000009
【図９】
0004158351.tif 000010
【図１０】
0004158351.tif 000011